(57)【要約】      （修正有）【課題】耐久性のある、ごみ集積箱の蓋体開閉装置を提供する。【解決手段】一方の端が側体に固定され、もう一方の端が該蓋体３に固定された枢着軸４ｂに枢着されたガススプリング５を有するごみ集積箱１の蓋体開閉装置４において、該蓋体開閉装置は閉じる時に使う蓋体閉ストッパ８ａ、８ｂと、開く時に使う蓋体開ストッパ６、７を有し、該蓋体開ストッパは、前記蓋体に固定され該蓋体とともに回動する蓋体開ストッパバー６ａ、６ｂと、前記側体に固定され該蓋体開ストッパバーの衝突を受ける蓋体開ストッパバー受けから構成され、前記ガススプリングのストローク範囲が該ガススプリングの最大ストローク範囲以下になるように設置される。【選択図】図１
0003159757.tif 000002
【実用新案登録請求の範囲】
【請求項１】
一方の端が側体に固定され、もう一方の端が開閉する蓋体に固定された枢着軸に枢着されたガススプリングを有するごみ集積箱の蓋体開閉装置において、該蓋体開閉装置は閉じる時に使う蓋体閉ストッパと、開く時に使う蓋体開ストッパを有し、該蓋体開ストッパは、前記蓋体に固定され該蓋体とともに回動する蓋体開ストッパバーと、前記側体に固定され該蓋体開ストッパバーの衝突を受ける蓋体開ストッパバー受けから構成され、前記ガススプリングのストローク範囲が該ガススプリングの最大ストローク範囲以下になるように設置されるごみ集積箱の蓋体開閉装置。
【請求項２】
前記蓋体開ストッパは前記側体と前記ガススプリングの間のスペースには少なくとも設置されていることを特徴とする請求項１に記載のごみ集積箱の蓋体開閉装置。
【考案の詳細な説明】
【技術分野】
【０００１】
本考案は、アパート等の集合住宅で共同利用用に設置されるごみ集積箱の蓋体開閉装置に関する。
【背景技術】
【０００２】
この種のごみ集積箱には、何世帯かがごみ袋を投入し、そのごみ袋の収集は定期的に巡回するごみ収集車の収集者が行っている。従来のごみ集積箱は、特許文献１に開示されているように箱本体の上面にごみ袋の出し入れ口を設け、ストッパ杆によって箱本体に回動自在に枢着してある蓋体で出し入れ口を開閉する上開きタイプのものである。前記ストッパ杆自身は伸縮せず、箱本体と係合する該ストッパ杆の端部が蓋体の開閉に伴って移動し、係合溝に停止できるようになっている。近年、特許文献２に開示されている家屋内に設置される収納装置だけでなく、ごみ集積箱の蓋体開閉装置にも、該ストッパ杆に代わってガススプリングが用いられるようになってきている。該ガススプリングは、その一方の端がごみ箱本体に固定され、もう一方の端がＥ止めリングによって蓋体に枢着され、該蓋体の開閉に伴って伸縮して、蓋体を自在に止めることができるものである。
【先行技術文献】
【特許文献】
【０００３】
【特許文献１】実公昭６２−３２１６３
【特許文献２】実公平３−５１４６２
【考案の概要】
【考案が解決しようとする課題】
【０００４】
しかしながら、ごみ収集者が前記ガススプリングの最大ストローク範囲を超えて前記蓋体を勢いよくはね上げるようにして開けるたびに、前記ガススプリングの枢着側の端がＥ止めリングによって枢着されている枢着軸に余計な力が加わり、該枢着軸の前記Ｅ止めリングが変形したり、さらには、該Ｅ止めリングと同時に前記ガススプリングの枢着側の端が枢着軸からはずれ、前記蓋体の開閉ができなくなるトラブルが頻繁に発生した。
【課題を解決するための手段】
【０００５】
一方の端が側体に固定され、もう一方の端が開閉する蓋体に固定された枢着軸に枢着されたガススプリングを有するごみ集積箱の蓋体開閉装置において、該蓋体開閉装置は閉じる時に使う蓋体閉ストッパと、開く時に使う蓋体開ストッパを有し、該蓋体開ストッパは、前記蓋体に固定され該蓋体とともに回動する蓋体開ストッパバーと、前記側体に固定され該蓋体開ストッパバーの衝突を受ける蓋体開ストッパバー受けから構成され、前記ガススプリングのストローク範囲が該ガススプリングの最大ストローク範囲以下になるように設置される。
【０００６】
前記蓋体開ストッパは前記側体と前記ガススプリングの間のスペースには少なくとも設置されている。
【考案の効果】
【０００７】
該蓋体開ストッパは前記ガススプリングのストローク範囲が該ガススプリングの最大ストローク範囲以下になるように設置されるので、前記ガススプリングがＥ止めリングによって枢着される枢着軸に余計な力が加わることがなくなり、前記ガススプリングの枢着側の端が枢着軸からはずれるトラブルがなくなる効果がある。
【図面の簡単な説明】
【０００８】
【図１】本考案の蓋体開閉装置を備えたごみ集積箱の斜視図である。
【図２】本考案の蓋体開ストッパを説明する拡大斜視図である。
【考案を実施するための形態】
【０００９】
以下、本考案を実施するための形態を図面に基づいて詳述する。
【実施例１】
【００１０】
図１に本考案の蓋体開閉装置を備えたごみ集積箱の斜視図を示す。本実施例１は、本考案の蓋体開閉装置において前記蓋体開ストッパを２個設置した実施例である。本考案のごみ集積箱１は、その蓋体３が上に開くタイプであって、図１は該蓋体３を上に開いたときを示している。蓋体開閉装置４は蓋体の開閉にともなって伸縮するガススプリング５から構成され、ガススプリングの枢着側の端４ｄは枢着部４ａを構成する、蓋体枠３ａに固定された枢着台４ｅに設けられた枢着軸４ｂにＥ止めリング４ｃによって枢着され、ガススプリングの固定側の端４ｇは、固定部４ｆを介して、側体２ａに設けられたガススプリング固定用枠２ｅにボルトで固定されている。
【００１１】
蓋体３を閉じるときには、蓋体３の両蓋体枠端部３ｄ，３ｅは前扉８の両上端に設けられた蓋体閉ストッパ８ａ，８ｂに衝突し接触して止まるようになっている。
【００１２】
蓋体３をガススプリング５の最大ストローク範囲で開くときには、蓋体開ストッパ６，７は作動せずに蓋体３は止まるが、蓋体３をガススプリング５の最大ストローク範囲より大きく開こうとするときは、蓋体開ストッパ６，７が作動する。つまり、蓋体開ストッパ６を構成する、蓋体枠３ｃに固定された蓋体開ストッパバー6ａが側体枠２ｃに固定された蓋体開ストッパバー受け６ｂに衝突し接触し、同時に、蓋体開ストッパ７を構成する、蓋体枠３ｃに固定された蓋体開ストッパバー７ａは側体枠２ｄに固定された蓋体開ストッパバー受け７ｂに衝突し接触して蓋体３は止まる。よって、この時であっても余計な力が前記枢着軸４ｂにかからないので、ガススプリングの枢着側の端４ｄが枢着軸４ｂからはずれることはない。
【００１３】
図２は、本考案の蓋体開ストッパ６を説明する拡大斜視図である。図２に示すように、蓋体枠３ｃにネジ６ｅで固定された蓋体開ストッパバー６ａと側体枠２ｃにネジ６ｆで固定されたコの字形状の蓋体開ストッパバー受け６ｂから構成される蓋体開ストッパ６は、前記側体２ａと前記ガススプリング５の間のスペースに設置され、蓋体開ストッパバー６ａの衝突部６ｃが蓋体開ストッパバー受け６ｂに設けられ弾性部材からなる、ハッチングで示した衝突パッド６ｄに衝突し接触するようになっている。なお、本考案の蓋体開ストッパ７についても同様であり説明を省略する。
【００１４】
本考案の蓋体開ストッパ６，７を前記ごみ集積箱に設置しても、ごみ集積箱の外観を変えることはなく、また、該ごみ集積箱へのごみ袋の投入または該ごみ集積箱からのごみ袋の収集の妨げにならない。
【産業上の利用可能性】
【００１５】
以上の詳細な説明により示されたように、蓋体の開閉に不可欠なガススプリングが枢着軸からはずれるトラブルが起らないごみ集積箱を提供できる。
【符号の説明】
【００１６】
１  ごみ集積箱
２ａ，２ｂ  側体
２ｃ，２ｄ  側体枠
３  蓋体
４  蓋体開閉装置
４ａ  枢着部
４ｂ  枢着軸
４ｃ  Ｅ止めリング
４ｄ  ガススプリングの枢着側の端
４ｅ  枢着台
４ｆ  固定部
４ｇ  ガススプリングの固定側の端
５  ガススプリング
６，７  蓋体開ストッパ
６ａ，７ａ  蓋体開ストッパバー
６ｂ，７ｂ  蓋体開ストッパバー受け
６ｃ  衝突部
６ｄ  衝突パッド
８  前扉
８ａ，８ｂ  蓋体閉ストッパ
【図１】
0003159757.tif 000003
【図２】
0003159757.tif 000004